(57)【要約】【課題】被加熱体の載置場所を表示する表示手段について、機器の設置環境や使用時間に応じて最適な視認性を確保すること。【解決手段】被加熱体を載置する光透過性とした絶縁板１（トッププレート）を介して光源からの光を発光させる表示手段４の表示内容を、機器の周囲の明るさを検知する光検知手段３からの出力値に応じて変更することで、機器の周囲の明るさに応じた視認性を確保できると共に、光源の消費電力を抑制することで電気代の節約を行うことができる。【選択図】図１
2008258005.tif 000002
【特許請求の範囲】
【請求項１】
被加熱体を載置する一部または全部を光透過性とした絶縁板と、前記絶縁板の下方に設けられて前記被加熱体を加熱する加熱コイルと、前記加熱コイルの通電状態を前記絶縁板の光透過性部分を介して図形として表示する表示手段と、前記加熱コイルへの通電を制御する制御手段と、機器の周囲の明るさを検知する光検知手段とを備え、前記表示手段は前記加熱コイルが発生する磁束の及ぶ近傍に配された発光手段を有し、前記光検知手段からの出力値に応じて表示内容を変更する構成の誘導加熱装置。
【請求項２】
光検知手段からの出力値に応じて、表示手段である加熱コイルが発生する磁束の及ぶ近傍に配された発光手段の図形の大きさまたは形状を変更する構成とした請求項１に記載の誘導加熱装置。
【請求項３】
光検知手段からの出力値に応じて、表示手段である加熱コイルが発生する磁束の及ぶ近傍に配された発光手段の発光輝度を変更する構成とした請求項１に記載の誘導加熱装置。
【請求項４】
光検知手段からの出力値に応じて、表示手段である加熱コイルが発生する磁束の及ぶ近傍に配された発光手段の発光色を変更する構成とした請求項１に記載の誘導加熱装置。
【請求項５】
光検知手段からの出力値に応じた表示内容の変更を段階的に行う構成とした請求項１〜４のいずれか１項に記載の誘導加熱装置。
【請求項６】
光検知手段を機器の上面または前側面に設ける構成とした請求項１〜５のいずれか１項に記載の誘導加熱装置。
【発明の詳細な説明】
【技術分野】
【０００１】
本発明は一般家庭やレストラン及びオフィス、あるいは工場などで使用される誘導加熱装置に関するものである。
【背景技術】
【０００２】
従来の誘導加熱装置を誘導加熱装置を例に取り上げて説明する。従来、この種の誘導加熱装置は、加熱コイルの周囲に導光体を配置して、この導光体を介して光源の光を発光させて、加熱コイルの通電の有無に応じてその光により形成される図形にて、鍋などの被加熱体の載置場所等を分かり易くしているものが開示されている（例えば、特許文献１参照）。
【特許文献１】特開２００１−３２６０６４号公報
【発明の開示】
【発明が解決しようとする課題】
【０００３】
しかしながら、前記従来の構成では、導光体は鍋などの被加熱体を載置するための光透過性とした絶縁板であるトッププレートを介して光源からの光を発光させる構成であるため、その視認性は周囲の照度に容易に左右されてしまう。例えば誘導加熱装置を日光が直接照射するような窓際に設置した場合、直射日光の強い晴れた昼間などには周囲の明るさに対して導光体の明るさが足らず視認性に劣ってしまうという課題を有していた。また、夜など照明器具を使用するような環境においては、その明るさの度合いによって導光体はそれほど明るくなくても視認性に問題がないため、導光体を発光させる光源への消費電力増加による電気代のロスなどが生じるという課題を有していた。
【０００４】
本発明は、前記従来の課題を解決するもので、被加熱体を載置する光透過性とした絶縁板（トッププレート）を介して光源からの光を発光させる導光体の表示状態を、機器の周囲の明るさを検知する光検知手段からの出力値に応じて変更することで、機器の周囲の明るさに応じた視認性を確保すると共に、また電気代を節約できる経済的な誘導加熱装置を提供することを目的とする。
【課題を解決するための手段】
【０００５】
前記従来の課題を解決するために、本発明の誘導加熱装置は、被加熱体を載置する一部または全部を光透過性とした絶縁板と、前記絶縁板の下方に設けられて前記被加熱体を加熱する加熱コイルと、前記加熱コイルの通電状態を前記絶縁板の光透過性部分を介して図形として表示する表示手段と、前記加熱コイルへの通電を制御する制御手段と、機器の周囲の明るさを検知する光検知手段とを備え、前記表示手段は前記加熱コイルが発生する磁束の及ぶ近傍に配された発光手段を有し、前記光検知手段からの出力値に応じて表示内容を変更する構成としたものである。
【０００６】
これによって、被加熱体を載置する光透過性とした絶縁板（トッププレート）を介して光源からの光を発光させる導光体の表示状態を、機器の周囲の明るさを検知する光検知手段からの出力値に応じて変更することで、機器の周囲の明るさに応じた視認性を確保できる。
【発明の効果】
【０００７】
本発明の誘導加熱装置は、被加熱体を載置する光透過性とした絶縁板（トッププレート）を介して光源からの光を発光させる導光体の表示状態を、機器の周囲の明るさを検知する光検知手段からの出力値に応じて変更することで、機器の周囲の明るさに応じた視認性を確保できると共に、電気代の節約を行うことができる。
【発明を実施するための最良の形態】
【０００８】
第１の発明は、被加熱体を載置する一部または全部を光透過性とした絶縁板と、前記絶縁板の下方に設けられて前記被加熱体を加熱する加熱コイルと、前記加熱コイルの通電状態を前記絶縁板の光透過性部分を介して図形として表示する表示手段と、前記加熱コイルへの通電を制御する制御手段と、機器の周囲の明るさを検知する光検知手段とを備え、前記表示手段は前記加熱コイルが発生する磁束の及ぶ近傍に配された発光手段を有し、前記光検知手段からの出力値に応じて表示内容を変更する構成としたものである。これにより、被加熱体を載置する光透過性とした絶縁板（トッププレート）を介して光源からの光を発光させる導光体の表示状態を、機器の周囲の明るさを検知する光検知手段からの出力値に応じて変更することで、機器の周囲の明るさに応じた視認性を確保し易くすると共に、電気代の節約を行うことができる。
【０００９】
第２の発明は、特に第１の発明において、光検知手段からの出力値に応じて、表示手段である加熱コイルが発生する磁束の及ぶ近傍に配された発光手段の図形の大きさまたは形状を変更する構成としたものである。これにより、機器の周囲の明るさによって表示手段が表示する図形の形状或いは大きさを異なるものとしているので、使用者は確実にその異なる状態を識別することができる。
【００１０】
第３の発明は、特に第１の発明において、光検知手段からの出力値に応じて、表示手段である加熱コイルが発生する磁束の及ぶ近傍に配された発光手段の発光輝度を変更する構成としたものである。これにより、機器の周囲の明るさによって表示手段が表示する図形は同一であるが、その発光輝度が異なるので、使用者は確実にその異なる状態を識別することができる。
【００１１】
第４の発明は、特に第１の発明において、光検知手段からの出力値に応じて、表示手段である加熱コイルが発生する磁束の及ぶ近傍に配された発光手段の発光色を変更する構成としたものである。これにより、機器の周囲の明るさによって表示手段が表示する図形の色を異なるものとしているので、使用者は確実にその異なる状態を識別することができる。
【００１２】
第５の発明は、特に第１〜４の何れか１つの発明において、光検知手段からの出力値に応じた表示内容の変更を段階的に行う構成としたものである。これにより、機器の設置環境や使用時間に応じて段階的に表示内容を変更することで、それぞれ最適な視認性を確保できると共に、夜など照明器具を使用するような環境において、その明るさの度合いによって導光体はそれほど明るくなくても視認性に問題がない場合には、導光体を発光させる光源への消費電力を抑制することで電気代の節約を図ることができる。
【００１３】
第６の発明は、特に第１〜５の何れか１つの発明において、光検知手段を機器の上面または前側面に設ける構成としたものである。これにより、壁や機器の設置用枠など機器の周囲の明るさを遮るような遮蔽物を回避できる箇所に光検知手段を設けることで正確な検知を行うことができ、より確実な視認性の確保を行うことができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における誘導加熱装置の構成を示す上面、断面の略図およびブロック図である。図１に示すように加熱コイル２と加熱コイル２の上方に設けられた光透過性のある板厚約４ｍｍの結晶化ガラスで成る絶縁板１と加熱コイル２への通電を制御する加熱制御手段５により加熱部を形成し、絶縁板１より下方で加熱コイル２が発生する磁束の及ぶ近傍に、発光手段６を備えた表示手段４によって、加熱コイル２の位置が使用者に分かるように絶縁板１を介して表示される。
【００１６】
加熱コイル２は、本実施の形態においては直径約０．３ｍｍの素線を５０本束ねたリッツ銅線を１層のドーナツ状に２５ターン巻いたもので、その外径約１８０ｍｍ、内径約５０ｍｍ、厚さ約３ｍｍという形状である。
【００１７】
発光手段６はその光源となる複数のＬＥＤと、このＬＥＤの発する光を所望の図形（本実施の形態では、その内径が加熱コイル２の外径より大きくした円環状）に形成するための導光樹脂から成り、加熱コイル２が発生する磁束によって誘導加熱が可能である近傍に備えられ、この複数のＬＥＤは電気的に直列回路となるように結線されている。
【００１８】
また、光透過性のある絶縁板１の裏面に、明るさにより抵抗値が変化するＣｄＳセルなどの光検知素子３ａを配し、光検知手段３により機器の周辺の明るさを検知する。光検知素子３ａは、壁や機器の設置用枠など周囲の明るさを遮るような遮蔽物を回避できるように機器上面の明るさを検知するようにし、且つ（図示していない）被加熱体の載置時に遮蔽されることのないように遮蔽の予測される加熱コイル２および発光手段６から離した位置に配する。
【００１９】
図２は本発明の第１の実施の形態における光検知手段３の動作を示す構成図及びグラフである。図２（ａ）に示すように、光検知手段３は光検知素子３ａから構成される検知回路であり、光検知素子３ａには明るさによって抵抗値が変化する特性を有する半導体素子であるＣｄＳセルなどを使用することで、機器の周囲の明るさに応じて検知回路の出力電圧が変化する構成である。
【００２０】
以上のように構成された誘導加熱装置について、以下その動作、作用を説明する。
【００２１】
まず、加熱制御手段５によって加熱コイル２への通電を制御することが可能となると、加熱制御手段５は加熱コイル２への通電を開始し、表示手段４は加熱コイル２によって加熱される部分を発光手段６の発する光により明るく円環状に示し、使用者が鍋などの被加熱体（図示せず）を載置する場所を容易に識別することが可能となる。加熱コイル２の通電が停止されると、表示手段４は発光手段６の駆動を停止する。
【００２２】
また図１に示すように、光検知手段３による検知結果は表示手段４にフィードバックされる。表示手段４はその検知情報に基づいて発光手段６の表示内容を変更する。前述のとおり発光手段６の光源には複数のＬＥＤを使用しており、表示手段４はその検知情報に基づいてＬＥＤを流れる電流量を変更することで発光手段６の明るさを変更する。
【００２３】
図２（ｂ）により具体的に説明する。縦軸は発光手段６の光源であるＬＥＤを流れる電流量［Ａ］であり、Ｉ１、Ｉ２およびＩ３はそれぞれ異なる電流量を表す。その相対関係はＩ１＜Ｉ２＜Ｉ３である。横軸は機器の周囲の明るさ［ｌｘ］を示す。例えば機器を日光が直接照射するような位置に設置した場合には、昼間などの直射日光下では約１０万［ｌｘ］と非常に明るく、発光手段６も相応の明るさでないと視認性が悪くなってしまうため、電流量は最大のＩ３［Ａ］とする。次に直射日光を受けない時間帯などでは約２千［ｌｘ］程度であり、この場合にはＩ３［Ａ］程の電流量がなくても視認性は確保できるため、Ｉ２［Ａ］まで電流量を減らす。更に夜など照明器具を使用するような環境においては、その照明器具の明るさの度合いにより更に少量の電流量でも視認性に問題がないため、よってＩ１［Ａ］にまで電流量を減らす。
【００２４】
これにより、機器の設置環境や使用時間に応じて段階的に表示内容を変更することで、それぞれ最適な視認性を確保できると共に、夜など照明器具を使用するような環境において、その明るさの度合いによって発光手段６はそれほど明るくなくても視認性に問題がない場合には、発光手段６の光源であるＬＥＤの消費電力を抑制することで電気代の節約を図ることができる。また、機器の周囲の明るさによって表示手段４が表示する図形は同一であるが、その発光輝度（明るさ）が異なるので、使用者は確実にその異なる状態を識別することができる。
【００２５】
尚、本実施の形態では、機器の周囲の明るさによって表示手段４の発光輝度（明るさ）に差を設けて表示するようにしているが、発光色を変える、または発光手段６が生成する図形の大きさや形状に差異を持たせる（例えば、周囲が暗い場合には本実施の形態１の図形の手前半分を点灯、周囲が明るい場合には奥半分も点灯させて円環状で表示）など、使用者が視覚的に判別できる範疇での差であれば同様の効果があることは言うまでもないことである。
【００２６】
また、本実施の形態では、機器の周囲の明るさを３段階として、それに応じて発光手段６の光源であるＬＥＤの電流量を変更するようにしているが、段階レベルは３に限らずとも同様の効果があることは言うまでもないことである。
【００２７】
また、本実施の形態では、機器の周囲の明るさを検知する光検知手段３の検知回路として、明るさによって抵抗値が変化する特性を有する半導体素子であるＣｄＳセルおよび分圧抵抗による最も簡単な構成の回路を記述したが、この構成に限らずとも同様の効果があることは言うまでもないことである。
【産業上の利用可能性】
【００２８】
本発明の誘導加熱装置は、被加熱体への誘導加熱可能範囲或いは被加熱体の載置位置の表示図形の表示内容を機器の周囲の明るさに応じて変更することで、機器の設置環境や使用時間に応じて最適な視認性を確保できると共に、表示図形の光源の消費電力を抑制することで電気代が節約できるので、誘導加熱を用いた卓上型のＩＨ調理器や、誘導加熱部を複数と魚焼き器や電気ヒータとを組み合わせた複合型電気加熱装置等にも適用できる。
【図面の簡単な説明】
【００２９】
【図１】本発明の実施の形態１における誘導加熱装置の略図及びブロック図
【図２】本発明の実施の形態１における光検知手段３の動作を示す構成図及びグラフ
【符号の説明】
【００３０】
１  絶縁板
２  加熱コイル
３  光検知手段
４  表示手段
５  加熱制御手段
６  発光手段
【図１】
2008258005.tif 000003
【図２】
2008258005.tif 000004